(57)【要約】  【課題】スリープモードから高速モードに復帰させてもすぐに画像データを正しく送信できる高速シリアルインターフェースを提供する。  【解決手段】インターフェース部１がスリープモードから高速モードに復帰した後の画像データを正しく伝送できないダミーデータ付加期間に、ダミーデータ付加回路32からダミーデータを送信してインターフェース部１から正規データを出力する。インターフェース部１がスリープモードから高速モードに復帰するとすぐに、ダミーデータ付加回路32からのダミーデータの送信にて正規データを液晶表示装置２に伝送できる。  【選択図】図１
2007072710.tif 000002
【特許請求の範囲】
【請求項１】
画像を表示する画像表示装置に電気的に接続された受信手段と、前記画像表示段置に画像を表示させる画像信号を発信する画像信号発信手段に電気的に接続された送信手段とを具備したインターフェースであって、
これら送信手段および受信手段の少なくともいずれかは、画像信号を伝送させる伝送モードと、この画像信号の伝送を停止させる停止モードと、この停止モードから前記伝送モードに切り換えた後に前記画像信号発信手段から発信された画像信号を正しく前記画像表示装置に伝送できない所定期間とを有し、
この所定期間に、前記送信手段および受信手段の少なくともいずれかにダミー信号を送信して、前記送信手段から正しい画像信号を前記画像表示装置へと伝送させるダミー信号送信手段を具備した
ことを特徴としたインターフェース。
【請求項２】
受信手段に電気的に接続され、この受信手段へと受信される画像信号の直流成分を検出する検出手段を具備し、
ダミー信号送信手段は、前記検出手段にて検出した前記画像信号の直流成分に基づいて、送信手段および前記受信手段の少なくともいずれかにダミー信号を送信する期間を制御する
ことを特徴とした請求項１記載のインターフェース。
【発明の詳細な説明】
【技術分野】
【０００１】
本発明は、画像信号発信手段から発信した画像信号を画像表示装置に送信するインターフェースに関する。
【背景技術】
【０００２】
近年、液晶表示装置やプラズマディスプレイなどの画像表示装置としてのフラットパネルディスプレイには、例えばＬＶＤＳ（Low Voltage Differential Signaling）などの高速シリアルインターフェースが用いられている（例えば、特許文献１参照。）。
【０００３】
そして、この種の高速シリアルインターフェースは、出力側に送信手段としてアナログ回路が用いられており、このアナログ回路には常時電流が流れている。また、この高速シリアルインターフェースの入力側の伝送部としての受信手段の電圧が４００ｍＶと低く設定されている。
【０００４】
したがって、この高速シリアルインターフェースでは、出力側のアナログ回路に常時電流が流れているから、通常のＣＭＯＳ（Complementary Metal Oxide Semiconductor）回路で用いられる定常電流を下げるなどの低消費電力化対策が容易ではない。また、入力側の伝送手段の電圧が４００ｍＶと低く設定されているから、この伝送手段での容量の充放電による消費電力の割合が元々低くなっている。したがって、この伝送手段へと入力される画像信号の周波数を削減したとしても、この画像信号の周波数の低減による効果がほとんど見込めない。
【０００５】
そこで、この種の高速シリアルインターフェースとしては、画像信号が送られない所定の期間に、出力側の送信手段を、画像信号が送信可能な伝送モードである通常モードから、この送信手段の動作を停止させる停止モードとしてのスリープモードに切り換える構成が知られている（例えば、特許文献２参照。）。
【特許文献１】特開２００２−１０８２９３号公報
【特許文献２】特開２００３−４４１８４号公報
【発明の開示】
【発明が解決しようとする課題】
【０００６】
しかしながら、上述のスリープモードを有する高速シリアルインターフェースでは、出力側の送信手段をスリープモードから通常モードに切り換えさせて復帰させる際に、この送信手段にエラーが生じ、この送信手段から画像信号が正しく送信されないという問題を有している。
【０００７】
本発明は、このような点に鑑みなされたもので、停止モードから伝送モードに切り換えてもすぐに画像信号を正しく送信できるインターフェースを提供することを目的とする。
【課題を解決するための手段】
【０００８】
本発明は、画像を表示する画像表示装置に電気的に接続された受信手段と、前記画像表示段置に画像を表示させる画像信号を発信する画像信号発信手段に電気的に接続された送信手段とを具備したインターフェースであって、これら送信手段および受信手段の少なくともいずれかは、画像信号を伝送させる伝送モードと、この画像信号の伝送を停止させる停止モードと、この停止モードから前記伝送モードに切り換えた後に前記画像信号発信手段から発信された画像信号を正しく前記画像表示装置に伝送できない所定期間とを有し、この所定期間に、前記送信手段および受信手段の少なくともいずれかにダミー信号を送信して、前記送信手段から正しい画像信号を前記画像表示装置へと伝送させるダミー信号送信手段を具備したものである。
【０００９】
そして、送信手段および受信手段の少なくともいずれかを、画像信号の伝送を停止させる停止モードから画像信号を伝送させる伝送モードへと切り換えた後の、画像信号発信手段から発信された画像信号を正しく画像表示装置に伝送できない所定期間の間に、ダミー信号送信手段から送信手段および受信手段の少なくともいずれかにダミー信号を送信して、送信手段から正しい画像信号を画像表示装置へと伝送させる。この結果、送信手段および受信手段の少なくともいずれかを停止モードから伝送モードに切り換えるとすぐに、ダミー信号送信手段からのダミー信号の送信によって、送信手段から正しい画像信号が画像表示装置へと伝送される。したがって、これら送信手段および受信手段の少なくともいずれかを停止モードから伝送モードに切り換えても、画像信号発信手段から発信された画像信号を送信手段からすぐに正しく画像表示装置に送信できる。
【発明の効果】
【００１０】
本発明によれば、送信手段および受信手段の少なくともいずれかを停止モードから伝送モードへと切り換えた後の、画像信号発信手段から発信された画像信号を正しく画像表示装置に伝送できない所定期間の間に、ダミー信号送信手段からダミー信号を送信して、送信手段から正しい画像信号を画像表示装置へと伝送させるので、送信手段および受信手段の少なくともいずれかを停止モードから伝送モードに切り換えても、画像信号発信手段から発信された画像信号を送信手段からすぐに正しく画像表示装置に送信できる。
【発明を実施するための最良の形態】
【００１１】
以下、本発明のインターフェースの一実施の形態の構成を図１ないし図３を参照して説明する。
【００１２】
図１において、１はインターフェース部で、このインターフェース部１は、液晶表示装置（Liquid Crystal Display：ＬＣＤ）２の表示領域に所定の画像を表示させる液晶表示装置用のＬＶＤＳ（Low Voltage Differential Signaling）などの高速シリアルインターフェースである。ここで、この液晶表示装置２は、液晶表示が可能であるともに、スイッチング素子として薄膜トランジスタ（ＴＦＴ）を用いた表示器としての画像表示装置である。さらに、インターフェース部１は、複数のチャンネルを有する省電力モード型である。そして、このインターフェース部１の入力側には、画像信号発信手段としてのグラフィックシステムである画像データ出力回路３が電気的に接続されている。
【００１３】
この画像データ出力回路３は、図示しないコンピュータ内のグラフィックチップに電気的に接続されている。そして、この画像データ出力回路３は、液晶表示装置２に画像を描画させる装置本体であるとともに論理回路としてのロジック部であるロジック回路４を備えている。このロジック回路４の入力側には、図示しない描画回路が電気的に接続されている。すなわち、このロジック回路４には、描画回路から発信されて出力された画像信号としての画像データが入力されて記憶される。ここで、このロジック回路４は、このロジック回路４へと送信されて入力された種々の画像データを記憶させる図示しないフレームメモリを備えている。
【００１４】
さらに、このロジック回路４の出力側には、読み出し手段としての読み出し部である読み出し回路５の入力側が電気的に接続されている。この読み出し回路５は、ロジック回路４に入力されて記憶された画像データを読み出して、この画像データをインターフェース部１へと出力させて送信させる。
【００１５】
ここで、このインターフェース部１の入力側である画像データ出力回路３側には、読み出し回路にてロジック回路から読み出されて出力された画像データが送信される送信手段としてのトランスミッタ11が取り付けられて搭載されている。このトランスミッタ11は、このトランスミッタ11へと供給される電源電流を定電流にさせる電源電流調整手段としての電源電流調整回路12を備えている。そして、この電流電源調整回路12の出力側には、複数、例えば４個のスイッチング素子であるプッシュプルトランジスタ（push-pull transistor）13,14,15,16が取り付けられている。
【００１６】
そして、プッシュプルトランジスタ13の一方の電極であるエミッタ電極13Eは、電源電流調整回路12の出力側に電気的に接続されている。また、このプッシュプルトランジスタ13の他方の電極であるコレクタ電極13Cは、プッシュプルトランジスタ14の一方の電極であるエミッタ電極14Eに電気的に接続されている。そして、このプッシュプルトランジスタ14の他方の電極であるコレクタ電極14Cは、接地されて基準電位とされている。
【００１７】
さらに、プッシュプルトランジスタ15の一方の電極であるエミッタ電極15Eは、プッシュプルトランジスタ13のエミッタ電極13Eに電気的に接続されているとともに、電源電流調整回路12の出力側に電気的に接続されている。また、このプッシュプルトランジスタ15の他方の電極であるコレクタ電極15Cは、プッシュプルトランジスタ16の一方の電極であるエミッタ電極16Eに電気的に接続されている。そして、このプッシュプルトランジスタ16の他方の電極であるコレクタ電極16Cは、プッシュプルトランジスタ14のコレクタ電極14Cに電気的に接続されているとともに、このプッシュプルトランジスタ14のコレクタ電極14Cとともに接地されて基準電位とされている。
【００１８】
また、これら各プッシュプルトランジスタ13,14,15,16の制御電極であるベース電極13B,14B,15B,16Bには、画像データ出力回路３の読み出し回路５の出力側がそれぞれ電気的に接続されている。したがって、これらプッシュプルトランジスタ13,14,15,16のそれぞれは、読み出し回路５から出力される画像データに応じてオンオフが制御されている。すなわち、これらプッシュプルトランジスタ13,14,15,16は、読み出し回路５にてプッシュプルトランジスタ13およびプッシュプルトランジスタ16と、プッシュプルトランジスタ14およびプッシュプルトランジスタ15とを所定の周期でオンオフが反転されて逆相されて、図３に示す電圧波形の画像データを出力させる。すなわち、この図３に示す電圧波形の画像データは、インターフェース部１における画像データの電圧波形である。
【００１９】
そして、このインターフェース部１の出力側である液晶表示装置２側には、トランスミッタ11から受信した画像データを液晶表示装置２へと伝送する受信手段としてのレシーバ21が取り付けられて搭載されている。このレシーバ21は、コンパレータとしての比較器であって、差動増幅器としてのオペアンプ22を備えている。このオペアンプ22のプラス（＋）側である正極側の入力端子23には、正極側の差動信号線24の一端が電気的に接続されている。そして、この正極側の差動信号線24の他端は、プッシュプルトランジスタ13のコレクタ電極13Cとプッシュプルトランジスタ14のエミッタ電極14Eとの間に電気的に接続されている。
【００２０】
また、このオペアンプ22のマイナス（−）側である負極側の入力端子25には、負極側の差動信号線26の一端が電気的に接続されている。そして、この負極側の差動信号線26の他端は、プッシュプルトランジスタ15のコレクタ電極15Cとプッシュプルトランジスタ16のエミッタ電極16Eとの間に電気的に接続されている。さらに、このオペアンプ22の正極側の入力端子23と負極側の入力端子25との間には、抵抗Ｒの直列回路が電気的に接続されている。そして、このオペアンプ22の出力側の出力端子27は、液晶表示装置２に画像を表示させる図示しないドライバ回路に電気的に接続されている。
【００２１】
ここで、インターフェース部１を構成するトランスミッタ11あるいはレシーバ21は、画像データを高速に送信させる伝送モードとしての高速モードと、この高速モードの他に、これらトランスミッタ11およびレシーバ21の少なくともいずれかの動作が停止している停止モードとしてのスリープモードとを有している。ここで、このスリープモードでは、オペアンプ22の各入力端子23,25に電気的に接続されている各差動信号線24,26のそれぞれが接地された状態となっている。
【００２２】
さらに、これらトランスミッタ11あるいはレシーバ21は、これらトランスミッタ11あるいはレシーバ21をスリープモードから高速モードに切り換えて復帰させて後に、画像データ出力回路３の読み出し回路５から出力された画像データを正しく液晶表示装置２へと伝送できずにエラーを生じさせてしまう所定期間としての移行期間Ａを有している。ここで、この移行期間Ａは、トランスミッタ11あるいはレシーバ21をスリープモードから高速モードに切り換えて復帰させて後に画像データを正しく送信できない期間である。具体的に、この移行期間Ａは、トランスミッタ11あるいはレシーバ21をスリープモードから高速モードに復帰させた時点から、このレシーバ21から正しい画像データである正規データＢを送信できる時点までの期間である。
【００２３】
さらに、このオペアンプ22の正極側の入力端子23と負極側の入力端子25との間には、このオペアンプ22へと出力されて受信される画像データの差動信号中の直流（ＤＣ）成分を検出する検出手段としての検出回路31が電気的に接続されている。この検出回路31は、この検出回路31にて画像データの差動信号中の直流成分を検出し、この直流成分の値が許容値を越えた場合にのみ所定の信号を出力させる。
【００２４】
そして、この検出回路31の出力側には、ダミーデータ付加期間調整手段であるとともにダミーデータ送信手段であるダミーデータ付加回路32の入力側が電気的に接続されている。そして、このダミーデータ付加回路32の出力側は、画像データ出力回路３の読み出し回路５の入力側に電気的に接続されている。具体的に、このダミーデータ付加回路32は、トランスミッタ11あるいはレシーバ21をスリープモードから高速モードに移行させた後の画像データを正しく伝送できない移行期間Ａの間に、この画像データを正規データＢにして液晶表示装置２に伝送させるダミー信号としてのダミーデータを読み出し回路５へと出力して送信させて、インターフェース部１のレシーバ21から正規データＢを液晶表示装置２へと伝送させる。
【００２５】
すなわち、このダミーデータ付加回路32は、スリープモードから高速モードに復帰する際であるとともに、インターフェース部１から正規データＢが送信される前の間に、予めダミーデータを出力させて読み出し回路５に付加する。言い換えると、このダミーデータ付加回路32は、スリープモードからの復帰に際して正規データＢを送る前の段階で、ダミーデータを付加する。さらに、このダミーデータ付加回路32は、スリープモードから高速モードまでの移行期間Ａをカバーするようにダミーデータを送信させる。
【００２６】
さらに、このダミーデータ付加回路32は、トランスミッタ11あるいはレシーバ21の動作モードをスリープモードから高速モードに切り換えた時点から、レシーバ21から正規データＢが出力される時点までの間である所定期間としてのダミーデータ付加期間Ｄに亘って、ダミーデータを出力させて読み出し回路５へと送信させる。また、このダミーデータ付加回路32は、検出回路31にて検出した画像データの差動信号中の直流成分そのもの、またはこの直流成分に基づいた情報からダミーデータ付加期間Ｄを制御して調整する。すなわち、このダミーデータ付加回路32は、検出回路31にて検出した画像データの差動信号中の直流成分の値が許容値を越えた場合に、この検出回路31から出力される所定の信号の入力に基づいて、ダミーデータ付加期間Ｄを調整する。
【００２７】
ここで、この検出回路16にて検出した画像データの直流成分情報をインターフェース部１のトランスミッタ側に伝送して、このインターフェース部１のトランスミッタ側でダミーデータ付加期間Ｄを調整することもできる。そして、このダミーデータ付加期間Ｄは、図２および図３に示すように、移行期間Ａより若干長い期間である。すなわち、このダミーデータ付加期間Ｄは、移行期間Ａの開始時点と同じ開始時点から、この移行期間Ａの終了時点より長い終了時点までの期間である。
【００２８】
また、読み出し回路５は、ダミーデータ付加回路32からダミーデータが送られている間には、画像データ出力回路３から出力される画像データをインターフェース部１へ送信せず、このインターフェース部１にダミーデータのみを送信させて、エラーのない画像データである正規データを液晶表示装置２へと転送させる。
【００２９】
次に、上記一実施の形態のインターフェースの作用を参照して説明する。
【００３０】
まず、スリープモードでは、インターフェース部１のオペアンプ22の各入力端子23,25に電気的に接続されている各差動信号線24,26のそれぞれが接地された状態となっている。したがって、このスリープモードから高速モードに復帰させて画像データの電圧値を通常動作時の電圧値に復帰させるには、図２および図３に示すように、所定の移行期間Ａが必要である。
【００３１】
そして、この移行期間Ａでは、画像データの差分信号中の直流成分のバランスが高速モードのときとは異なり、差動信号のセットアップ時間やホールド時間も高速モードのときより余分であるマージンが小さい。
【００３２】
このため、この移行期間Ａでは、インターフェース部１から液晶表示装置２に画像データを転送して伝送させるときにエラーが生じやすい。また、この移行期間Ａは、インターフェース部１の差動信号線24,26などの伝送路の浮遊容量やトランスミッタ11の出力電流特性などによって左右されて変化してしまう。
【００３３】
そして、このインターフェース部１のトランスミッタ11およびレシーバ21のそれぞれを動作させて、これらトランスミッタ11あるいはレシーバ21をスリープモードから高速モードへと復帰させる。
【００３４】
このとき、図３に示すように、これらトランスミッタ11およびレシーバ21のそれぞれを高速モードへと復帰させた時点から、このレシーバ21から正規データＢを送信できる時点までの移行期間Ａよりも長いダミーデータ付加期間Ｄでは、画像データ出力回路３の読み出し回路５から出力された画像データを正しく液晶表示装置２へと伝送できずに、この液晶表示装置２に表示される画像にエラーを生じさせてしまう。
【００３５】
そこで、レシーバ21のオペアンプ22へと出力されて受信される画像データの差動信号中の直流成分を検出回路31にて検出し、この検出回路31にて画像データの差動信号中の直流成分の値が許容値を越えた場合にのみ出力される所定の信号をダミーデータ付加回路32へと出力させて、このダミーデータ付加回路32にてダミーデータ付加期間Ｄを調整する。
【００３６】
そして、このダミーデータ付加期間Ｄに、レシーバ21から出力される画像データを正規データＢにして液晶表示装置２に伝送させるダミーデータをダミーデータ付加回路32から読み出し回路５へと出力させて、図２に示すように、このレシーバ21から正規データＢを液晶表示装置２へと伝送させる。
【００３７】
このとき、インターフェース部１では、図１に示すように、トランスミッタ11のプッシュプルトランジスタ13およびプッシュプルトランジスタ16のそれぞれがオンされ、このトランスミッタ11のプッシュプルトランジスタ14およびプッシュプルトランジスタ15のそれぞれがオフされた状態と、トランスミッタ11のプッシュプルトランジスタ13およびプッシュプルトランジスタ16のそれぞれがオフされ、このトランスミッタ11のプッシュプルトランジスタ14およびプッシュプルトランジスタ15のそれぞれがオンされた状態とが所定の周期で反転されて逆相されて、図２に示す電圧波形の画像データを、オペアンプ22の出力端子27から液晶表示装置２へと出力させる。
【００３８】
したがって、この図２に示す電圧波形の画像データに基づいて液晶表示装置２のドライバ回路にて、この液晶表示装置２の表示領域に所定の画像を表示させることにより、インターフェース部１のトランスミッタ11あるいはレシーバ21を高速モードへと復帰させるとすぐに、読み出し回路５から出力された画像データを正しく液晶表示装置２へと伝送できるので、この液晶表示装置２に表示される画像にエラーが生じなくなる。
【００３９】
上述したように、上記一実施の形態によれば、インターフェース部１のトランスミッタ11あるいはレシーバ21をスリープモードから高速モードに復帰させた後の、このレシーバ21から画像データを正しく画像表示装置２に伝送できないダミーデータ付加期間Ｄに、ダミーデータ付加回路32から、読み出し回路５にダミーデータを送信させてインターフェース部１のレシーバ21のオペアンプ22の出力端子27から正規データを出力させて液晶表示装置２へと伝送させる構成とした。
【００４０】
この結果、トランスミッタ11あるいはレシーバ21をスリープモードから高速モードに復帰させるとすぐに、ダミーデータ付加回路32から読み出し回路５へのダミーデータの送信によって、図２に示すように、レシーバ21のオペアンプ22の出力端子27から正しい画像データである正規データが液晶表示装置２へと伝送される。したがって、これらトランスミッタ11あるいはレシーバ21をスリープモードから高速モードに復帰させても、画像データ出力回路３から出力された画像データを、レシーバ21のオペアンプ22の出力端子27からすぐに正しい正規データとして液晶表示装置２に送信できる。
【００４１】
よって、これらトランスミッタ11あるいはレシーバ21をスリープモードから高速モードに復帰させた際に生じ得る画像データのエラー発生を削減できるとともに防止できるから、画像データ出力回路３から出力された画像データのインターフェース部１を介した液晶表示装置２への誤伝送を削減できる。
【００４２】
また、このインターフェース部１へと伝送される画像データの差動信号中の直流成分を検出回路31にて検出し、この検出回路31にて検出した画像データの差動信号中の直流成分の値が許容値を越えた場合に、この検出回路31から所定の信号をダミーデータ付加回路32へと出力させる構成とした。この結果、このダミーデータ付加回路32では、検出回路31から出力される所定の信号に基づいてダミーデータを出力させるダミーデータ付加期間Ｄを調整できる。
【００４３】
したがって、インターフェース部１に接続されている種々のケーブルの長さやコネクタなどの様々な異なった特性の伝送路を有するコンピュータや液晶表示装置２に対しても、自動的に最適なダミーデータ付加期間Ｄに調整してダミーデータを転送できるので、インターフェース部１の便宜性をさらに向上できる。
【００４４】
さらに、ダミーデータ付加回路32にて付加するダミーデータの周期や、画像データの並べ方を工夫することによって、このダミーデータを付加するダミーデータ付加期間Ｄを短くすることも可能である。具体的には、ダミーデータの付加を開始し始める初期段階では、このダミーデータの１の量を多くするとともに、このダミーデータの周期をやや低くすることによって、オペアンプ22の出力端子27から出力される画像データの差分信号中の直流成分をより早く、正規データの差分信号中の直流成分に近づけることができる。さらに、このダミーデータの印加を開始し始めた初期段階後では、このダミーデータの繰り返し周波数を比較的高くすることによって、このダミーデータの付加が必要なダミーデータ付加期間Ｄ中の移行期間Ａを短縮できる。
【００４５】
なお、上記一実施の形態では、トランスミッタ11あるいはレシーバ21が、スリープモードおよび高速モードを有する構成としたが、これらトランスミッタ11およびレシーバ21のそれぞれがスリープモードおよび高速モードを有する構成であってもよい。また、この液晶表示装置２に用いられている薄膜トランジスタとしては、トップゲート型、ボトムゲート型あるいはコプラナ型のいずれでよい。
【００４６】
さらに、薄膜トランジスタが用いられた液晶表示装置２に画像を表示させるための高速シリアルインターフェースのインターフェース部１について説明したが、薄膜トランジスタ以外のスイッチング素子が用いられた液晶表示パネルや、その他の画像表示が可能なプラズマディスプレイパネルあるいはエレクトロルミネッセンス（Electro-Luminescence:ＥＬ）ディスプレイパネルなどの画像表示装置であっても対応させて用いることができる。
【図面の簡単な説明】
【００４７】
【図１】本発明のインターフェースの一実施の形態の一部を示す説明構成図である。
【図２】同上インターフェースにダミーデータを付加した画像信号を示す波形説明図である。
【図３】同上インターフェースにダミーデータを付加しない画像信号を示す波形説明図である。
【符号の説明】
【００４８】
１    インターフェースとしてのインターフェース部
２    画像表示装置としての液晶表示装置
３    画像信号発信手段としての画像データ出力回路
11    送信手段としてのトランスミッタ
21    受信手段としてのレシーバ
31    検出手段としての検出回路
32    ダミー信号送信手段としてのダミーデータ付加回路
Ｄ    所定期間としてのダミーデータ付加期間
【図１】
2007072710.tif 000003
【図２】
2007072710.tif 000004
【図３】
2007072710.tif 000005